(57)【要約】【課題】磁場中心で発生される高電力ＲＦ磁場や、発生する磁気共鳴信号を検出する高周波コイルとＰＥＴ検出器とが干渉することよるデータ収集への影響を抑えることができるＰＥＴ−ＭＲＩ装置を提供すること。【解決手段】実施形態に係るＰＥＴ−ＭＲＩ装置は、静磁場磁石と、傾斜磁場コイルと、高周波コイルと、ＰＥＴ検出器と、移動機構とを備える。静磁場磁石は、略円筒状のボア内に静磁場を発生させる。傾斜磁場コイルは、前記静磁場磁石の内周側に配置され、前記ボア内に配置された被検体に傾斜磁場を印加する。高周波コイルは、前記傾斜磁場コイルの内周側に配置され、前記被検体に高周波磁場を印加する。ＰＥＴ検出器は、前記被検体に投与された陽電子放出核種から放出されるガンマ線を検出する。移動機構は、前記ボアの軸方向に沿って前記ＰＥＴ検出器を移動させる。【選択図】図１
2013228226.tif 000002
【特許請求の範囲】
【請求項１】
略円筒状のボア内に静磁場を発生させる静磁場磁石と、
前記静磁場磁石の内周側に配置され、前記ボア内に配置された被検体に傾斜磁場を印加する傾斜磁場コイルと、
前記傾斜磁場コイルの内周側に配置され、前記被検体に高周波磁場を印加する高周波コイルと、
前記被検体に投与された陽電子放出核種から放出されるガンマ線を検出するＰＥＴ検出器と、
前記ボアの軸方向に沿って前記ＰＥＴ検出器を移動させる移動機構と
を備えたことを特徴とするＰＥＴ−ＭＲＩ装置。
【請求項２】
前記高周波コイルの内周側を覆うボアカバーをさらに備え、
前記ＰＥＴ検出器は、前記高周波コイルと前記ボアカバーとの間に配置されることを特徴とする請求項１に記載のＰＥＴ−ＭＲＩ装置。
【請求項３】
前記傾斜磁場コイルと前記高周波コイルとの間に配置され、前記高周波コイルにより発生する高周波磁場を遮蔽する高周波シールドをさらに備え、
前記ＰＥＴ検出器は、前記傾斜磁場コイルと前記高周波シールドとの間に配置されることを特徴とする請求項１に記載のＰＥＴ−ＭＲＩ装置。
【請求項４】
前記被検体が載置される天板と、
前記ボアの軸方向に沿って前記天板を長手方向に前記ボア内へ移動させる寝台とをさらに備え、
前記ＰＥＴ検出器は、前記天板に当該天板の長手方向へ移動可能に設けられ、
前記移動機構は、前記ＰＥＴ検出器を前記天板の長手方向へ移動させることを特徴とする請求項１に記載のＰＥＴ−ＭＲＩ装置。
【請求項５】
前記被検体が載置される天板と、
前記ボアの軸方向に沿って前記天板を長手方向に前記ボア内へ移動させる寝台とをさらに備え、
前記ＰＥＴ検出器は、第１のＰＥＴ検出器と第２のＰＥＴ検出器とに分割されており、
前記第１のＰＥＴ検出器は、前記ボアの周囲に配置され、
前記第２のＰＥＴ検出器は、前記天板に配置され、
前記移動機構は、前記第１のＰＥＴ検出器と前記第２のＰＥＴ検出器とをそれぞれ独立して移動させることを特徴とする請求項１に記載のＰＥＴ−ＭＲＩ装置。
【請求項６】
前記第１のＰＥＴ検出器を前記ボア内で移動可能に保持する保持部をさらに備え、
前記移動機構は、前記第１のＰＥＴ検出器の移動に連動して前記第２のＰＥＴ検出器を前記ボアの軸方向に沿って移動させることを特徴とする請求項１に記載のＰＥＴ−ＭＲＩ装置。
【請求項７】
前記第２のＰＥＴ検出器は、前記ボアの軸方向に前記第１のＰＥＴ検出器よりも大きな幅を有することを特徴とする請求項６に記載のＰＥＴ−ＭＲＩ装置。
【請求項８】
前記ＰＥＴ検出器は、
リング状に形成され、リング内周に検出面を有する第１のＰＥＴ検出器と、
前記ボアの軸方向に略垂直な検出面を有する第２のＰＥＴ検出器とを含み、
前記移動機構は、前記ボアの軸方向で前記第１のＰＥＴ検出器に隣接する位置に前記第２のＰＥＴ検出器を移動させることを特徴とする請求項１に記載のＰＥＴ−ＭＲＩ装置。
【請求項９】
前記ＰＥＴ検出器の位置を検出する位置検出部と、
前記ＰＥＴ検出器によって検出された前記ＰＥＴ検出器の位置を表示する表示部と
をさらに備えることを特徴とする請求項１〜８のいずれか一つに記載のＰＥＴ−ＭＲＩ装置。
【請求項１０】
前記ＰＥＴ検出器は、前記静磁場磁石の外側へ移動可能に設けられることを特徴とする請求項１〜９のいずれか一つに記載のＰＥＴ−ＭＲＩ装置。
【請求項１１】
前記移動機構は、前記ＰＥＴ検出器を上下方向へさらに移動させることを特徴とする請求項１〜１０のいずれか一つに記載のＰＥＴ−ＭＲＩ装置。 
【発明の詳細な説明】
【技術分野】
【０００１】
本発明の実施の形態は、ＰＥＴ（Positron  Emission  Tomography）−ＭＲＩ（Magnetic  Resonance  Imaging）装置に関する。
【背景技術】
【０００２】
近年、ＰＥＴ（Positron  Emission  Tomography）装置とＭＲＩ（Magnetic  Resonance  Imaging）装置とを組み合わせたＰＥＴ−ＭＲＩ装置の製品化が始められている。一般的に、ＰＥＴ−ＭＲＩ装置は、ＭＲＩ装置にＰＥＴ検出器を装着することで実現されるが、ＰＥＴ検出器の位置は固定されている場合が多い。しかし、ＭＲＩ装置の磁場中心付近にＰＥＴ検出器が固定されると、磁場中心で発生される高電力ＲＦ（Radio  Frequency）磁場や、発生する磁気共鳴信号を検出する高周波コイル（ＲＦコイル）とＰＥＴ検出器とが干渉することによって、適切にデータ収集が行われない場合もあり得る。
【先行技術文献】
【特許文献】
【０００３】
【特許文献１】特表２００８−５２５１６１号公報
【発明の概要】
【発明が解決しようとする課題】
【０００４】
本発明が解決しようとする課題は、磁場中心で発生される高電力ＲＦ磁場や、発生する磁気共鳴信号を検出する高周波コイルとＰＥＴ検出器とが干渉することよるデータ収集への影響を抑えることができるＰＥＴ−ＭＲＩ装置を提供することである。
【課題を解決するための手段】
【０００５】
実施形態に係るＰＥＴ−ＭＲＩ装置は、静磁場磁石と、傾斜磁場コイルと、高周波コイルと、ＰＥＴ検出器と、移動機構とを備える。静磁場磁石は、略円筒状のボア内に静磁場を発生させる。傾斜磁場コイルは、前記静磁場磁石の内周側に配置され、前記ボア内に配置された被検体に傾斜磁場を印加する。高周波コイルは、前記傾斜磁場コイルの内周側に配置され、前記被検体に高周波磁場を印加する。ＰＥＴ検出器は、前記被検体に投与された陽電子放出核種から放出されるガンマ線を検出する。移動機構は、前記ボアの軸方向に沿って前記ＰＥＴ検出器を移動させる。
【図面の簡単な説明】
【０００６】
【図１】図１は、第１の実施形態に係るＰＥＴ−ＭＲＩ装置の全体構成を示す図である。
【図２】図２は、第１の実施形態に係るＰＥＴ検出器の移動機構の一例を示す図である。
【図３】図３は、第２の実施形態に係るＰＥＴ検出器の移動機構の一例を示す図である。
【図４】図４は、第３の実施形態に係るＰＥＴ検出器の移動機構の一例を示す図である。
【図５】図５は、第４の実施形態に係るＰＥＴ検出器の移動機構の一例を示す図（１）である。
【図６】図６は、第４の実施形態に係るＰＥＴ検出器の移動機構の一例を示す図（２）である。
【図７】図７は、第５の実施形態に係るＰＥＴ検出器の移動機構の一例を示す図である。
【図８】図８は、第６の実施形態に係るＰＥＴ検出器の移動機構の一例を示す図である。
【図９】図９は、第７の実施形態に係るＰＥＴ検出器の移動機構の一例を示す図である。
【図１０】図１０は、第８の実施形態に係るＰＥＴ検出器の移動機構の一例を示す図である。
【図１１】図１１は、第８の実施形態に係るＰＥＴ検出器の有効撮像領域の一例を示す図（１）である。
【図１２】図１２は、第８の実施形態に係るＰＥＴ検出器の有効撮像領域の一例を示す図（２）である。
【発明を実施するための形態】
【０００７】
以下、図面を参照して、ＰＥＴ−ＭＲＩ装置の実施形態を説明する。
【０００８】
（第１の実施形態）
図１は、第１の実施形態に係るＰＥＴ−ＭＲＩ装置の全体構成を示す図である。図１に示すように、第１の実施形態に係るＰＥＴ−ＭＲＩ装置１００は、静磁場磁石１と、寝台２と、傾斜磁場コイル３と、傾斜磁場コイル駆動回路４と、送信用高周波コイル５と、送信部６と、受信用高周波コイル７と、受信部８と、ＭＲデータ収集部９と、計算機１０と、コンソール１１と、ディスプレイ１２と、ＰＥＴ検出器１３と、信号線１４と、ＰＥＴデータ収集部１５と、ＰＥＴ画像再構成部１６と、シーケンスコントローラ１７と、高周波シールド１８と、ボアカバー１９とを備える。
【０００９】
静磁場磁石１は、略円筒状のボアＢ内に静磁場を発生させる。寝台２は、被検体Ｐが載せられる天板２ａを有する。この寝台２は、撮像時には、ボアＢの軸方向に沿って天板２ａを長手方向にボアＢ内へ移動させることで、被検体Ｐを静磁場内へ移動する。
【００１０】
傾斜磁場コイル３は、被検体Ｐに対して、磁場強度がＸ，Ｙ，Ｚ方向に直線的に変化する傾斜磁場Ｇｘ，Ｇｙ，Ｇｚを印加する。この傾斜磁場コイル３は、略円筒状に形成され、静磁場磁石１の内周側に配置される。傾斜磁場コイル駆動回路４は、シーケンスコントローラ１７による制御のもと、傾斜磁場コイル３を駆動する。
【００１１】
送信用高周波コイル５は、送信部６から送信される高周波パルスに基づいて、静磁場内に置かれた被検体Ｐに高周波磁場を印加する。この送信用高周波コイル５は、略円筒状に形成され、傾斜磁場コイル３の内周側に配置される。送信部６は、シーケンスコントローラ１７による制御のもと、送信用高周波コイル５に高周波パルスを送信する。
【００１２】
受信用高周波コイル７は、高周波磁場及び傾斜磁場の印加により被検体Ｐから発せられる磁気共鳴信号を検出する。例えば、受信用高周波コイル７は、撮像対象の部位に応じて被検体Ｐの表面に配置される表面コイルである。例えば、被検体Ｐの体部が撮像される場合には、２つの受信用高周波コイル７が被検体Ｐの上部及び下部に配置される。受信部８は、シーケンスコントローラ１７による制御のもと、受信用高周波コイル７によって検出された磁気共鳴信号を受信し、受信した磁気共鳴信号をＭＲデータ収集部９に送る。
【００１３】
ＭＲデータ収集部９は、シーケンスコントローラ１７による制御のもと、受信部８から送られた磁気共鳴信号を収集する。そして、ＭＲデータ収集部９は、収集した磁気共鳴信号を増幅及び検波した後にＡ／Ｄ変換し、計算機１０に送る。計算機１０は、コンソール１１により制御され、ＭＲデータ収集部９から送られた磁気共鳴信号に基づいてＭＲ画像を再構成する。そして、計算機１０は、再構成したＭＲ画像をディスプレイ１２に表示させる。
【００１４】
ＰＥＴ検出器１３は、被検体Ｐに投与された陽電子放出核種から放出されるガンマ線（消滅放射線を含む）を計数情報として検出する。このＰＥＴ検出器１３は、リング状に形成され、送信用高周波コイル５の外周側に配置される。例えば、ＰＥＴ検出器１３は、シンチレータと光検出器とを有する検出器モジュールをリング状に配置することで形成される。ここで、シンチレータは、例えば、ＬＹＳＯ（Lutetium  Yttrium  Oxyorthosilicate）、ＬＳＯ（Lutetium  Oxyorthosilicate）、ＬＧＳＯ（Lutetium  Gadolinium  Oxyorthosilicate）などである。また、光検出器は、例えば、ＡＰＤ（Avalanche  Photodiode）素子やＳｉＰＭ（Silicon  Photomultiplier）などの半導体検出器や、光電子増倍管（Photomultiplier  Tube：ＰＭＴ）である。そして、ＰＥＴ検出器１３は、検出した計数情報を、信号線１４を介してＰＥＴデータ収集部１５に送る。
【００１５】
ＰＥＴデータ収集部１５は、シーケンスコントローラ１７による制御のもと、同時計数情報を生成する。このＰＥＴデータ収集部１５は、ＰＥＴ検出器１３によって検出されたガンマ線の計数情報を用いて、陽電子放出核種から放出されたガンマ線を略同時に検出した計数情報の組み合わせを同時計数情報として生成する。
【００１６】
ＰＥＴ画像再構成部１６は、ＰＥＴデータ収集部１５により生成された同時計数情報を投影データとしてＰＥＴ画像を再構成する。このＰＥＴ画像再構成部１６によって再構成されたＰＥＴ画像は、計算機１０に送信されてディスプレイ１２に表示される。シーケンスコントローラ１７は、撮像時に実行される各種撮像シーケンス情報を計算機１０より受け取り、上述した各部を制御する。
【００１７】
高周波シールド１８は、傾斜磁場コイル３と送信用高周波コイル５との間に配置され、送信用高周波コイル５により発生する高周波磁場を遮蔽する。ボアカバー１９は、送信用高周波コイル５の内周側を覆うカバーである。このボアカバー１９によって、静磁場磁石１、傾斜磁場コイル３、高周波シールド１８及び送信用高周波コイル５によって構成される概略円筒形状の構造体の内側に、略円筒状の空間であるボアＢが形成される。
【００１８】
そして、第１の実施形態に係るＰＥＴ−ＭＲＩ装置１００は、上記構成に加えて、ボアの軸方向に沿ってＰＥＴ検出器１３を移動させる移動機構２０をさらに備える。
【００１９】
図２は、第１の実施形態に係るＰＥＴ検出器の移動機構の一例を示す図である。図２に示すように、第１の実施形態では、ＰＥＴ検出器１３は、送信用高周波コイル５とボアカバー１９との間に配置される。また、移動機構２０も、送信用高周波コイル５とボアカバー１９との間に配置される。
【００２０】
そして、移動機構２０は、高周波コイル５とボアカバー１９との間に形成されている空間内で、ボアＢの軸Ｚ方向にＰＥＴ検出器１３を移動させる（図２に示す両矢印Ａの方向）。この移動機構２０は、例えば、駆動装置２１によって駆動されることで、ＰＥＴ検出器１３を移動させる。
【００２１】
例えば、移動機構２０は、ボアＢの軸方向に沿って、静磁場磁石１や傾斜磁場コイル３、送信用高周波コイル５、ボアカバー１９などから構成される架台の端部に配置された少なくとも２つの回転軸と、これらの回転軸に架け渡されたベルトとから構成される。そして、駆動装置２１が回転軸を回転駆動させることで、ベルトの一部に固定されたＰＥＴ検出器１３がボアＢのＺ軸方向に移動される。
【００２２】
以上、第１の実施形態に係るＰＥＴ−ＭＲＩ装置について説明した。近年、製品化が始められているＰＥＴ−ＭＲＩ装置では、ＰＥＴ検出器の位置が固定されている場合が多い。ＰＥＴ検出器が取り外し可能なＰＥＴ−ＭＲＩ装置もあるが、そのような場合でもＰＥＴ検出器の位置は固定されていることが多い。また、間隔を開けて２つのＰＥＴ検出器を配置したＰＥＴ−ＭＲＩ装置も提案されているが、ＰＥＴ検出器は必ずしも撮影中心の周りに配置される必要はなく、多少ずれていてもよい。
【００２３】
実際に、ＰＥＴ検出器と高周波コイルとはボアの軸方向の位置がずれていた方が干渉しにくく互いのデータ収集に好適である。また、ＭＲＩによる撮像はボアの軸方向における中心位置に限られるが、ＰＥＴによる撮像はボアの軸方向のどこでも実施可能である。また、ＭＲＩによる撮像とＰＥＴによる撮像とは、互いにデータの収集時間が異なるため、ＰＥＴによる撮像の対象位置が常に磁場中心であることは、ＭＲＩとＰＥＴとを組み合わせた撮像プロトコルを構築するうえで不便な場合がある。
【００２４】
これに対し、第１の実施形態に係るＰＥＴ−ＭＲＩ装置１００では、移動機構２０によってＰＥＴ検出器１３をボアの軸方向に移動させることで、ＰＥＴ検出器１３を磁場中心から離れた位置へ移動することができる。これにより、ＰＥＴ検出器と磁場との干渉によるデータ収集への影響を抑えることができる。また、ＭＲＩとＰＥＴとを組み合わせた撮像プロトコルを構築するうえでの自由度を増やすことができる。
【００２５】
なお、ＰＥＴ検出器の移動機構は、図２に示した例に限られるものではない。そこで、以下では、第２〜第８の実施形態として、移動機構の他の例について説明する。
【００２６】
（第２の実施形態）
図３は、第２の実施形態に係るＰＥＴ検出器の移動機構の一例を示す図である。図３に示すように、第２の実施形態では、ＰＥＴ検出器１３は、傾斜磁場コイル３と高周波シールド１８との間に配置される。また、移動機構２０も、傾斜磁場コイル３と高周波シールド１８との間に配置される。そして、移動機構２０は、例えば、駆動装置２１によって駆動されて、傾斜磁場コイル３と高周波シールド１８との間に形成されている空間内で、ボアの軸Ｚ方向にＰＥＴ検出器１３を移動させる（図３に示す両矢印Ａの方向）。
【００２７】
（第３の実施形態）
図４は、第３の実施形態に係るＰＥＴ検出器の移動機構の一例を示す図である。図４に示すように、第３の実施形態では、天板が、被検体Ｐが載せられる天板２ａと、天板２ａを下方から支持する天板２ｂとに分けられる。天板２ａは、天板２ｂとの間で相対的な位置が変わらないように、天板２ｂ上に置かれる。そして、寝台２が、天板２ｂ上に天板２ａが載せられた状態で天板２ｂをボアＢ内へ移動させる（図４に示す両矢印Ａ１の方向）。
【００２８】
そして、ＰＥＴ検出器１３は、天板に、当該天板の長手方向へ移動可能に設けられる。例えば、ＰＥＴ検出器１３は、天板２ｂ上に天板２ｂの長手方向に沿って形成された溝に配置され、天板２ｂの長手方向へ移動可能に支持される。また、移動機構２０は、天板内に設けられる。そして、移動機構２０は、例えば、駆動装置２１によって駆動されて、ＰＥＴ検出器１３を天板２ｂの長手方向へ移動させる（図４に示す両矢印Ａ２の方向）。
【００２９】
すなわち、第３の実施形態では、ＰＥＴ検出器１３は、天板２ｂの移動とともにボアＢの軸Ｚ方向へ移動させることもできるし、天板２ｂの位置が固定された場合でも、天板２ｂの長手方向に沿って、ボアＢの軸Ｚ方向へ移動することもできる。なお、ＰＥＴ検出器１３は、天板２ｂに対して着脱可能に設けられてもよい。その場合には、例えば、ＰＥＴ検出器１３の制御線や電源線を接続するためのコネクタは、天板２ｂに配置される。
【００３０】
（第４の実施形態）
図５及び６は、第４の実施形態に係るＰＥＴ検出器の移動機構の一例を示す図である。図５に示すように、第４の実施形態では、第３の実施形態と同様に、天板が、被検体Ｐが載せられる天板２ａと、天板２ａが載せられる天板２ｂとに分けられる。天板２ａと天板２ｂとの位置関係、寝台２の動作は、第３の実施形態と同様である。
【００３１】
そして、ＰＥＴ検出器は、第１のＰＥＴ検出器１３ａと第２のＰＥＴ検出器１３ｂとに分割されている。そして、第１のＰＥＴ検出器１３ａは、ボアＢの周囲に配置され、第２のＰＥＴ検出器１３ｂは、天板に配置される。また、移動機構も、第１の移動機構２０ａと第２の移動機構２０ｂとに分けられる。第１の移動機構２０ａは、例えば、駆動装置２１ａによって駆動されて、ボアＢの周囲で、第１のＰＥＴ検出器１３ａをボアＢの軸Ｚ方向に沿って移動させる（図５に示す両矢印Ａ１の方向）。また、第２の移動機構２０ｂは、例えば、駆動装置２１ｂによって駆動されて、第２のＰＥＴ検出器１３ｂを天板２ｂの長手方向に沿って移動させる（図５に示す両矢印Ａ２の方向）。
【００３２】
図６は、ＰＥＴ検出器１３ａ及び１３ｂとその周辺をボアＢの軸方向Ｚからみた様子を示している。図６に示すように、ＰＥＴ検出器１３ａ及び１３ｂは、それぞれ円弧状に形成されている。そして、ＰＥＴ検出器１３ａは、円弧の内周側をボアＢ側に向けて、ボアＢの上側に配置される。また、ＰＥＴ検出器１３ｂは、円弧の内周側をボアＢ側に向けて、天板２ｂ上に配置される。
【００３３】
すなわち、第４の実施形態では、ＰＥＴ検出器が、架台側に設けられたＰＥＴ検出器１３ａと天板側に設けられたＰＥＴ検出器１３ｂとに分けられており、それぞれを独立して、ボアＢの軸Ｚ方向へ移動させることができる。そして、ボアＢ内に天板２ｂが挿入され、ボアＢの軸Ｚ方向で第１のＰＥＴ検出器１３ａの位置と第２のＰＥＴ検出器１３ｂの位置とが合ったところで、データ収集が行われる。
【００３４】
なお、ＰＥＴ検出器１３ｂは、天板２ｂに対して着脱可能に設けられてもよい。その場合には、例えば、ＰＥＴ検出器１３ｂの制御線や電源線を接続するためのコネクタは、天板２ｂに配置される。また、第１のＰＥＴ検出器１３ａは、少なくとも被検体Ｐを挿入している間は移動することができないように制御されてもよい。
【００３５】
（第５の実施形態）
図７は、第５の実施形態に係るＰＥＴ検出器の移動機構の一例を示す図である。図７に示すように、第５の実施形態では、図５に示した第１の移動機構２０ａが、第１のＰＥＴ検出器１３ａを上下動機構２０ｄを介して上下方向へさらに移動させる（図７に示す両矢印Ａの方向）。
【００３６】
すなわち、第５の実施形態では、ＰＥＴ検出器１３ａを、ボアＢの軸Ｚ方向だけでなく、上下方向へも移動することができる。これにより、例えば、被検体Ｐの体格の大きさに応じて、２つのＰＥＴ検出器の間の距離を調整することができる。
【００３７】
（第６の実施形態）
図８は、第６の実施形態に係るＰＥＴ検出器の移動機構の一例を示す図である。図８に示すように、第６の実施形態では、ＰＥＴ検出器１３は、静磁場磁石１の外側へ移動可能に設けられる。例えば、図８に示すように、ボアカバー１９が、寝台２が置かれていない側に静磁場磁石１から突出するように形成される。
【００３８】
そして、移動機構２０が、ボアカバー１９の突出部の内側に形成された空間に延びるように設けられる。そして、移動機構２０は、ボアＢの軸Ｚ方向に沿ってＰＥＴ検出器１３を移動させる（図８に示す両矢印Ａの方向）。これにより、移動機構２０は、ボアカバー１９の静磁場磁石１から突出した部分の内側にＰＥＴ検出器１３を移動させることで、ＰＥＴ検出器１３を静磁場磁石１の外側へ移動することができる。
【００３９】
すなわち、第６の実施形態では、静磁場磁石１の外側へＰＥＴ検出器１３を移動させることができるので、ＰＥＴ検出器１３と磁場との干渉によるデータ収集への影響をより確実に抑えることができる。
【００４０】
（第７の実施形態）
図９は、第７の実施形態に係るＰＥＴ検出器の移動機構の一例を示す図である。図９に示すように、第７の実施形態では、ＰＥＴ検出器が、第１のＰＥＴ検出器１３ａと第２のＰＥＴ検出器１３ｂとに分割されている。そして、第１のＰＥＴ検出器１３ａ及び第２のＰＥＴ検出器１３ｂは、ボアＢの軸Ｚを挟んで対向して配置される。
【００４１】
例えば、図９に示すように、第１のＰＥＴ検出器１３ａをボアＢ内で移動可能に保持する保持部３０ａが設けられる。そして、保持部３０ａは、ボアＢの軸Ｚ方向に沿ってＰＥＴ検出器１３ａを移動させる（図９に示す両矢印Ａ１の方向）。例えば、保持部３０ａは、複数の間接部を有するアームを用いることにより実現される。この保持部３０ａは、駆動装置によって駆動されることでＰＥＴ検出器１３ａを移動させてもよいし、操作者による手動の操作によってＰＥＴ検出器１３ａを移動させてもよい。
【００４２】
また、移動機構２０が、第１のＰＥＴ検出器１３ａの移動に連動して、第２のＰＥＴ検出器１３ｂをボアＢの軸Ｚ方向に沿って移動させる（図９に示す両矢印Ａ２の方向）。ここで、第２の検出器１３ｂは、ボアＢの軸Ｚ方向に第１のＰＥＴ検出器１３ａよりも大きな幅を有する。第２の検出器１３ｂのボアＢの軸Ｚ方向の幅を十分に大きくした場合には、第２の検出器１３ｂの位置を固定して、移動機構２０を不要とすることもできる。
【００４３】
（第８の実施形態）
図１０は、第８の実施形態に係るＰＥＴ検出器の移動機構の一例を示す図である。図１０に示すように、第８の実施形態では、ＰＥＴ検出器１３ａと、ＰＥＴ検出器１３ｂと、ＰＥＴ検出器１３ｃとを備える。
【００４４】
ＰＥＴ検出器１３ａ及び１３ｂは、リング状に形成され、リング内周に検出面を有する。ＰＥＴ検出器１３ａとＰＥＴ検出器１３ｂとは、ボアＢの軸Ｚに沿って並べて配置される。ＰＥＴ検出器１３ａは、移動機構２０ａによってボアＢの軸Ｚ方向に移動され（図１０に示す両矢印Ａ１の方向）、ＰＥＴ検出器１３ｂは、移動機構２０ｂによってボアＢの軸Ｚ方向に移動される（図１０に示す両矢印Ａ２の方向）。これにより、ＰＥＴ検出器１３ａとＰＥＴ検出器１３ｂとの間隔が、任意に調整される。
【００４５】
また、ＰＥＴ検出器１３ｃは、ボアＢの軸Ｚ方向に略垂直な検出面を有する。ＰＥＴ検出器１３ｃは、移動機構２０ｃによって、ボアＢの軸Ｚ方向に沿って移動される（図１０に示す両矢印Ａ３の方向）。そして、移動機構２０ｃは、ボアＢの軸Ｚ方向でＰＥＴ検出器１３ａに隣接する位置に移動させる。
【００４６】
図１１及び１２は、第８の実施形態におけるＰＥＴ−ＭＲＩ装置の有効撮像領域の一例を示す図である。なお、図１１及び１２では、ＰＥＴ検出器とボアカバー１９とを示し、他の構成要素については図示を省略している。
【００４７】
図１１は、ＰＥＴ検出器１３ｃ（図示せず）をＰＥＴ検出器１３ａから離した場合の有効撮像領域を示している。この場合には、ＰＥＴ検出器１３ａの内周面で囲まれた領域３１と、ＰＥＴ検出器１３ｂの内周面で囲まれた領域３２と、ＰＥＴ検出器１３ａの内周面とＰＥＴ検出器１３ｂの内周面との間に形成される領域３３とが、それぞれＰＥＴ画像を撮像可能な有効撮像領域となる。なお、図１１に示す直線３４は、ボアＢの軸方向における中央の位置を示しており、球状の領域３５は、ＭＲ画像の有効撮像領域である。
【００４８】
図１２は、ＰＥＴ検出器１３ｃをＰＥＴ検出器１３ａに隣接させた場合の有効撮像領域を示している。この場合には、図１１に示した領域３１〜３３に加えて、ＰＥＴ検出器１３ｃの検出面とＰＥＴ検出器１３ａの内周面との間に形成される領域３６と、ＰＥＴ検出器１３ｃの検出面とＰＥＴ検出器１３ｂの内周面との間に形成される領域３７とが、さらにＰＥＴ画像を撮像可能な有効撮像領域となる。
【００４９】
図１１及び１２からも明らかなように、ＰＥＴ検出器１３ｃをＰＥＴ検出器１３ａに隣接させることで、ＰＥＴ検出器１３ａの内側で被検体Ｐから放出されるガンマ線の検出確率を向上させることができる。これにより、ＰＥＴ検出器１３ａの内側におけるＰＥＴ画像の空間分解能を向上させることが可能になる。なお、図１１及び１２では、ＰＥＴ検出器１３ａの内側に被検体Ｐの頭部を配置させた場合の例を示しているが、被検体Ｐの足部を配置させた場合も同様の効果が得られる。すなわち、ＰＥＴ検出器１３ｃをＰＥＴ検出器１３ａに隣接させた撮像は、被検体Ｐの端部を撮像する場合に好適である。
【００５０】
なお、上記実施形態では、ＰＥＴ検出器の移動機構について説明したが、例えば、移動機構によって移動されたＰＥＴ検出器の位置を検出し、検出したＰＥＴ検出器の位置を表示部に表示するようにしてもよい。その場合には、例えば、図１に示した計算機１０が、移動機構を駆動させる駆動装置から移動量を取得したり、ＰＥＴ検出器に設けられた位置センサによってＰＥＴ検出器の位置を検出したりする。そして、計算機１０が、例えば、検出したＰＥＴ検出器の位置を、ＰＥＴ画像やＭＲ画像とともにディスプレイ１２に表示させる。このとき、計算機１０は、磁場中心の位置を一緒に表示させてもよい。
【００５１】
また、上記実施形態では、駆動装置によって移動機構を駆動させる例について説明したが、例えば、移動機構は、操作者によって手動で操作されてもよい。
【００５２】
また、上記実施形態で説明したＰＥＴ検出器の配置や移動機構の構成は、それぞれ適宜に組み合わせて実施することも可能である。例えば、図５に示した第４の実施形態に図８に示した第６の実施形態を組み合わせて、ボアＢの上側に配置されたＰＥＴ検出器１３ａを静磁場磁石１の外側へ移動可能に設けるようにしてもよい。その場合には、図８に示したように、ボアカバー１９が、寝台２が置かれていない側に静磁場磁石１から突出するように形成され、移動機構２０ａが、ボアカバー１９の突出部の内側に形成された空間に延びるように設けられる。
【００５３】
以上説明した各実施形態によれば、ＰＥＴ検出器と磁場との干渉によるデータ収集への影響を抑えることができる。
【００５４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５５】
１００  ＰＥＴ−ＭＲＩ装置
１  静磁場磁石
３  傾斜磁場コイル
５  送信用高周波コイル
１３、１３ａ、１３ｂ、１３ｃ  ＰＥＴ検出器
２０、２０ａ、２０ｂ、２０ｃ  移動機構
２０ｄ  上下動機構
【図１】
2013228226.tif 000003
【図２】
2013228226.tif 000004
【図３】
2013228226.tif 000005
【図４】
2013228226.tif 000006
【図５】
2013228226.tif 000007
【図６】
2013228226.tif 000008
【図７】
2013228226.tif 000009
【図８】
2013228226.tif 000010
【図９】
2013228226.tif 000011
【図１０】
2013228226.tif 000012
【図１１】
2013228226.tif 000013
【図１２】
2013228226.tif 000014